(57)【要約】【課題】解決しようとする問題点は、薬局調剤業務において、分包された分包シートに、錠剤・カプセル・粉に邪魔されず、手軽に直線を引くことである。【解決手段】本発明は、定規を分包シートの上に置くのではなく、ガイドラインとなる溝を分包シートの下に持ってくることにより、錠剤・カプセル・粉に邪魔されず簡単に直線を引くことが可能になり、ベンの種類や直線の種類、レイアウトを自由にできるので、直線の色や、二重線や太線などの種類を使い分けることができ、患者の要望や状況に応じることができるという利点がある。また片手で分包シートの位置を決めておさえるだけで、別の片方の手で簡単に直線が引くことができる。【選択図】図１
2014171527.tif 000002
【特許請求の範囲】
【請求項１】
定規のガイドラインとなる溝を分包シートの下に持ってくることにより、錠剤・カプセル・粉に邪魔されず、さまざまな色のペンを選べて、二重線や太線の直線も手軽に書けることを特徴とする定規
【請求項２】
定規のガイドラインとなる溝を分包シートの下に持ってくることにより、錠剤・カプセル・粉に邪魔されず、さまざまな色のペンを選べて、二重線や太線の直線も手軽に書けることを特徴とする定規で、ガイドラインの溝の位置を調節できる機能を持つもの
【発明の詳細な説明】
【技術分野】
【０００１】
本発明は、薬局調剤業務において、分包機で薬が分包されたシートに、錠剤・カプセル・粉に邪魔されず直線を引くための定規である。
【背景技術】
【０００２】
薬局調剤業務において、患者の服用ミス、薬剤師の調剤ミスをなくすため、処方された薬を分包機で服用時点ごとに分包し、出来上がった分包シートに、例えば朝なら赤ライン、昼なら緑ライン、夕なら青ライン、寝る前なら黒ラインと、色を付けて区別することが一般的に行われる。
市販されている分包機には、ラインの印字装置がついているものもある。
【０００３】
しかし、一般に使われている定規を使って、分包紙にペンで直線を書く場合、分包紙の中の錠剤・カプセル・粉が邪魔になり、定規を分包紙の上に置くのは難しく、直線が書きにくいという問題がある。
【０００４】
また分包機のライン印字装置は分包機のオプションで別に費用が掛かり、また印字リボンも色ごとに必要なため無駄が多く、ラインを印字する幅をとるため患者氏名や用法を印字する場所も狭くなるという欠点がある。また、患者の家族が同じように分包された薬を飲む場合、二本ラインや太いラインなどの区別をするとわかりやすいが、分包機のライン印字では難しい。
【０００５】
この改善策として、分包シート下にガイドラインとなる溝がある定規を敷き、直線を引くことで解決できる。分包シートは一般に透明または紙の材質で透けるので、分包シート越しでも、溝のガイドラインに色を付けることで位置が容易に把握することができる。このガイドラインとなる溝に従い、自由にペンの色を選び直線を引くことができる。本発明の定規は、片手で分包シートの位置を決めておさえるだけで、別の片方の手で簡単に直線が引くことができる。
【先行技術文献】
【特許文献】
【０００６】
【特許文献１】特開2001-000508号広報
【発明の概要】
【発明が解決しようとする課題】
【０００７】
解決しようとする問題点は、薬局調剤業務において、分包機で薬が分包されたシートに、錠剤・カプセル・粉に邪魔されず、手軽に直線を引くことである。
【課題を解決するための手段】
【０００８】
本発明は、定規を薬が入った分包シートの上に置くのではなく、ガイドラインとなる溝がある定規を分包シートの下に持ってくることにより、錠剤・カプセル・粉に邪魔されず簡単に直線を引くことが可能になることを最も主要な特徴とする。
【発明の効果】
【０００９】
本発明の定規は、ベンの種類や直線の種類、レイアウトを自由にできるので、直線の色や、二重線や太線などの種類を使い分けられ、患者の要望や状況に応じることができるという利点がある。また本発明の定規は、片手で分包シートの位置を決めておさえるだけで、別の片方の手で簡単に直線が引くことができる。
【図面の簡単な説明】
【００１０】
【図１】図１は本発明の定規の実施方法を示した説明図である。（実施例１）（A）は実施例で分包シートを本体にセットする前、（B）は実施例で分包シートを本体にセットして直線を書いている様子、（C）は分包シート設置前の平面図、（D）は分包シート設置後の平面図、（E）は断面図である。
【図２】図２は本発明の溝部分などを磁石で固定しているため、線の位置を調節できる機能がついた定規の実施方法を示した説明図である。（実施例２）（A）は実施例で分包シートを本体にセットする前、（B）は分包シートを本体にセットして直線を書いている様子、（C）は分包シート設置前の平面図、（C’）は同様に分包シート設置前の平面図であるが、溝部分と分包シートを固定する部分の幅を広げて調節し設置している。（D）、（D’）はそれぞれ（C）、（C’）の分包シート設置後の平面図、（E）は断面図である。
【発明を実施するための形態】
【００１１】
本発明は、定規を薬の入った分包シートの上に置くのではなく、ガイドラインとなる溝を分包シートの下に持ってくることにより、錠剤・カプセル・粉に邪魔されず簡単に直線を引くことを実現した。
【実施例１】
【００１２】
図１は、本発明定規本体１の実施例の説明図である。
【００１３】
図１の（A）にあるように、錠剤５の入った分包シート４を、定規本体１の上に、分包シートを固定する部分３に合わせてセットする。このとき分包シート４の中の錠剤５をなるべく端に寄せておくだけで、直線を引く際に錠剤５は邪魔にならない。
【００１４】
図１の（B）のように、分包シート４は、分包シートを固定する部分３に合わせることで、ガイドラインとなる溝２が平行になる。分包シート４は透明または紙で透ける素材が主に使われるので、ガイドラインとなる溝２を着色することで、容易に位置を把握することができる。任意のペン６でガイドラインとなる溝２に沿って、直線を簡単に引くことができる。
【００１５】
ガイドラインとなる溝２は２本あるので、２本線も書くことは容易である。またペン６の太さを変えることで太いラインを書くことも可能となる。また本体のガイドラインの本数を２本としたが、あらかじめ増やすこともできる。
【００１６】
分包シートの一包の大きさは、縦が主に７ｃｍ、横幅が６〜９ｃｍである。したがって本発明の定規本体１の分包シートを固定する部分３からガイドライン２までの距離は、７ｃｍ以内、定規本体１の横幅は、分包シートが３〜４個分を一度に直線が引ける２４ｃｍ〜４０ｃｍ程度が適当である。分包シートを固定する部分３の段差は５ｍｍ程度でよい。素材は油性ペンであやまって定規本体に書き込んでしまってもアルコールなどで消すことができるプラスチック製などが適当である。
【００１７】
図１の（C）、（D）は平面図である。（C）は分包シート設置前の平面図、（D）は分包シート設置後の平面図である。図１の（A）、（B）を上から見た図で、説明は同じである。
【００１８】
図１の（E）は断面図である。分包シートを固定する部分３には、分包シートが引っ掛かるように溝がつけてある。また、手を傷つけないように、丸みをつけている。
【実施例２】
【００１９】
図２の実施例は、本発明の溝の部分２と分包シートをひっかける部分３を分けて、磁石１１でベースとなる部分１０に張り付けているので、それぞれの位置を調整ができるようになっている。調整機能は印字された分包シートのデザインに合わせて直線を引く位置を選ぶことができるので、おおいに役立つ。
【００２０】
図２の（A）は実施例で分包シートを本体にセットする前であるが、１〜５は図１の（A）と同じである。ガイドラインの溝のある部分２を含んだ７、分包シートをひっかける部分を含んだ８、９は、それぞれ磁石１１によりベースとなる金属部分１０と固定されている。磁力での固定であるので、それぞれの位置が変更でき、幅の調節が可能である。（B）は分包シートを本体にセットして直線を書いている実施例である。
【００２１】
図２の（C）は分包シート設置前の平面図、（C’）は同じく分包シート設置前の平面図であるが、（C）と比べ溝部分と分包シートを固定する部分の幅を広げて調節して設置している。（D）、（D’）はそれぞれ（C）、（C’）での分包シート設置後の平面図である。（D）、（D’）を比較すると幅の調節によって分包シートのラインの位置が変更しているのがわかる。（E）は断面図である。
【符号の説明】
【００２２】
１    定規本体
２    ガイドラインとなる溝
３    分包シートを固定する場所
４    分包シート
５    分包シートの中にある錠剤
６    任意のペン
７    ガイドラインとなる溝のある部分
８    分包シートをひっかける部分１
９    分包シートをひっかける部分２
１０  磁石を付けるためのベースとなる金属部分
１１  磁石
【図１】
2014171527.tif 000003
【図２】
2014171527.tif 000004